(57)【要約】【課題】  可撓性を備えた配線基板の曲げ部分の張出し量を小さくしたり、又は回路部品と液晶パネルが厚さ方向で重なることを防止したりすることにより、従来に比べて、より一層小型である電気光学装置を提供する。【解決手段】  液晶を含む液晶パネル２と、液晶パネル２に接続されると共に液晶パネル２の方向へ曲げられたＦＰＣ５とを有する液晶表示装置１である。ＦＰＣ５は、その曲げられた部分５ｃに、液晶パネル２の辺端に対して略平行に延びる配線５２を有する。また、ＦＰＣ５はその曲げられた部分５ｃに液晶パネル２の辺端と略平行に延び且つ略直線状に並ぶ複数の回路部品５１を有する。【選択図】      図１
2006030829.tif 000002
【特許請求の範囲】
【請求項１】
電気光学物質を含む電気光学パネルと、
該電気光学パネルに接続されると共に該電気光学パネルの方向へ曲げられた可撓性を備えた配線基板とを有し、
該配線基板は、前記曲げられた部分に、前記電気光学パネルの辺端に対して略平行に延びる線状部材を有する
ことを特徴とする電気光学装置。
【請求項２】
請求項１記載の電気光学装置において、前記線状部材は直線状パターンであることを特徴とする電気光学装置。
【請求項３】
請求項１又は請求項２記載の電気光学装置において、前記線状部材は前記曲げられた部分の略頂部に位置することを特徴とする電気光学装置。
【請求項４】
請求項１から請求項３のいずれか１つに記載の電気光学装置において、前記線状部材は前記電気光学パネルの駆動用の接地線であることを特徴とする電気光学装置。
【請求項５】
請求項１から請求項４のいずれか１つに記載の電気光学装置において、
前記配線基板は表裏両面に配線を有し、
前記電気光学パネルの辺端と略平行に延びる前記線状部材は、前記配線基板の表面のうち曲げられて縮む側の面に形成される
ことを特徴とする電気光学装置。
【請求項６】
請求項５記載の電気光学装置において、前記配線基板の表面のうち曲げられて伸びる側の面には、該配線基板から前記電気光学パネルへ向けて延びる配線が形成されることを特徴とする電気光学装置。
【請求項７】
電気光学物質を含む電気光学パネルと、
該電気光学パネルに接続されると共に該電気光学パネルの方向へ曲げられた可撓性を備えた配線基板とを有し、
該配線基板は前記曲げられた部分に前記電気光学パネルの辺端と略平行に延び且つ略直線状に並ぶ複数の回路部品を有する
ことを特徴とする電気光学装置。
【請求項８】
請求項７記載の電気光学装置において、前記複数の回路部品は、前記配線基板が曲げられた部分に形成される空間内に配置されることを特徴とする電気光学装置。
【請求項９】
請求項７又は請求項８記載の電気光学装置において、
前記配線基板は、前記複数の回路部品と前記電気光学パネルとの間に、該電気光学パネルの辺端に対して略平行に延びる線状部材を有する
ことを特徴とする電気光学装置。
【請求項１０】
請求項７から請求項９のいずれか１つに記載の電気光学装置において、
前記電気光学パネルに対して略平行に配置された導光体と、
該導光体と並べて配置された光源とをさらに有し、
前記配線基板は、曲げられてその先端が前記導光体の光出射面の反対面に接触し、
前記複数の回路部品は、前記配線基板が曲げられた部分に形成される空間内であって前記光源に隣接する部分に配置される
ことを特徴とする電気光学装置。
【請求項１１】
請求項１から請求項１０のいずれか１つに記載の電気光学装置を有することを特徴とする電子機器。
【発明の詳細な説明】
【技術分野】
【０００１】
本発明は、回路部品を実装した可撓性の配線基板を電気光学物質を含んだ電気光学パネルに接続して成る電気光学装置に関する。また、本発明は、その電気光学装置を用いて構成される電子機器に関する。
【背景技術】
【０００２】
現在、携帯電話機、携帯情報端末機等といった各種の電子機器において、液晶表示装置、ＥＬ装置等といった電気光学装置が広く用いられている。例えば、電子機器に関する各種の情報を視覚的に表示するための表示部として電気光学装置が用いられている。この電気光学装置において、電気光学物質として液晶を用いた装置、すなわち液晶表示装置が知られている。また、電気光学物質としてＥＬ（Electro Luminescence）を用いたＥＬ装置も知られている。
【０００３】
例えば、液晶表示装置は電気光学パネルとしての液晶パネルを有する。この液晶パネルは、一般に、それぞれが電極を備えた一対の基板の間に液晶層を介在させた構造を有する。この液晶層は、例えば次のようにして、すなわち、前記一対の基板の間にシール材によって囲まれた空間を形成し、この空間の中に液晶を封止することによって形成される。この液晶表示装置では、液晶層に光を供給すると共に該液晶層に印加される電圧を画素ごとに制御することにより、液晶層内の液晶分子の配向を画素ごとに制御する。液晶層へ供給された光は、液晶分子の配向状態に従って変調され、この変調された光を偏光板の液晶側表面に供給することにより、その偏光板の観察側表面に文字、数字、図形等といった像が表示される。
【０００４】
上記の液晶パネルには、一般に、可撓性を備えた配線基板、例えばＦＰＣ（Flexible Printed Circuit）が接続される。このＦＰＣには、液晶パネルを駆動するために必要となる回路が形成される。この回路は、通常、ベース基板上に所定のパターンで配線を形成し、さらにＩＣ、コンデンサ、コイル、抵抗等といった回路部品をベース基板上の所定位置に実装することによって形成される。また、ＦＰＣには入力用端子が形成され、この入力用端子に外部電源や種々の外部機器が接続される。そして、液晶パネルを駆動するための信号や電力が、ＦＰＣを通して外部機器や外部電源から供給される。ＦＰＣは、一般に、液晶パネルに接続されて直線的に延びるというよりも、液晶パネルに接続された後、その液晶パネル側へ曲げられことが多い。液晶表示装置の全体形状を小型にしたいという要望があるからである。
【０００５】
ところで、携帯電話機や携帯情報端末機等といった電子機器は小型化が進んでおり、それに応じて、それらの電子機器に用いる液晶表示装置等といった電気光学装置に関してもその小型化が求められている。この求めに応じるため、従来、液晶パネルを照明するための光源であるＬＥＤ（Light Emitting Diode）を、ＦＰＣの曲げ部に設けた構造の液晶表示装置が知られている（例えば、特許文献１及び特許文献２参照）。これらの液晶表示装置によれば、ＦＰＣを曲げた部分の内側に形成される空間内にＬＥＤを配置することにより、つまりその空間を有効に利用することにより、液晶表示装置の小型化を図っていた。  
【０００６】
【特許文献１】特開２００３−９２０２０号公報（第３頁、図１）
【特許文献２】特開２０００−９８４１５号公報（第３頁、図１）
【発明の開示】
【発明が解決しようとする課題】
【０００７】
しかしながら、上記特許文献１に開示された従来の液晶表示装置においては、ＦＰＣの曲げ部の液晶パネルからの張出し寸法を小さくすることができなかった。仮にその張出し寸法を小さくすると、ＦＰＣが曲がり始める部分であるパネルとＦＰＣとの接続部においてＦＰＣがパネルから剥がれてしまうおそれがあるからである。また、仮にＦＰＣの曲げ部の張出し寸法を小さくすると、ＦＰＣが曲がり始める部分でＦＰＣ上に実装されたＬＥＤがＦＰＣから剥がれてしまうおそれがあるからである。このようなＦＰＣやＬＥＤの剥がれを防止するため、従来の液晶表示装置では、ＦＰＣの曲げ部を液晶パネルの外側へ大きく張り出さざるを得ず、そのため、液晶表示装置を十分に小型にできなかった。
【０００８】
また、上記特許文献２に開示された従来の液晶表示装置においては、ＦＰＣを曲げた状態でそのＦＰＣ上の複数の回路部品が液晶パネルに重なる位置に置かれることになり、それ故、液晶表示装置を十分に薄く出来ない可能性があった。
【０００９】
本発明は、上記の問題点に鑑みて成されたものであって、可撓性を備えた配線基板の曲げ部分の張出し量を小さくしたり、又は回路部品と液晶パネルが厚さ方向で重なることを防止したりすることにより、従来に比べて、より一層小型である電気光学装置および電子機器を提供することを目的とする。
【課題を解決するための手段】
【００１０】
本発明に係る第１の電気光学装置は、電気光学物質を含む電気光学パネルと、該電気光学パネルに接続されると共に該電気光学パネルの方向へ曲げられた可撓性を備えた配線基板とを有し、該配線基板は、前記曲げられた部分に、前記電気光学パネルの辺端に対して略平行に延びる線状部材を有することを特徴とする。
【００１１】
上記構成において、電気光学物質は、電界の変化に応じて特性が変化する物質であり、例えば、液晶、有機ＥＬ、無機ＥＬ等が考えられる。また、電気光学パネルは、電気光学物質を含むように形成されたパネル構造体である。また、可撓性を備えた配線基板は、例えば、ＦＰＣによって構成できる。このＦＰＣは、例えば、ポリイミドやポリエステル等から成るフィルムを基材として、その上に所望の回路を作ることによって形成される。これらのフィルムは曲げ性に優れているが、同時に弾性も有している。そのため、フィルムの曲げ部が電気光学パネルの辺端から張り出す量を小さくすると、その曲げ部の近傍に実装された回路部品や、その曲げ部の近傍で接続された電気光学パネルが、フィルムの弾性によってＦＰＣから剥がれてしまうおそれがある。
【００１２】
上記第１の電気光学装置によれば、電気光学パネルの辺端に対して略平行に延びる線状部材を配線基板の曲げられた部分に設けたので、その線状部材の所で配線基板に曲げの癖を付き易くできる。このため、配線基板を容易に曲げることができ、しかも、曲げられた配線基板がその弾性によって元に戻ろうとする力を弱めることができる。この結果、配線基板の曲げ部が張り出す量を小さくした場合でも、その曲げ部近傍に設けられた回路部品や電気光学パネルが剥がれることを防止できる。故に、電気光学装置の形状を小型化できる。
【００１３】
上記構成の本発明に係る電気光学装置において、前記線状部材は直線状パターンであることが望ましい。こうすれば、配線基板を曲げたときに、きれいで滑らかな曲げ癖を配線基板に与えることができる。
【００１４】
また、本発明に係る電気光学装置において、前記線状部材は前記曲げられた部分の略頂部に位置することが望ましい。こうすれば、曲げ部の形状が電気光学パネル側へ片寄ったり、それと反対側へ片寄ったりすることがなくなり、曲げ部全体を一様な形状にできる。そしてその結果、曲げ部が液晶パネルから張り出す長さを短くできる。
【００１５】
また、本発明に係る電気光学装置において、前記線状部材は接地線であることが望ましい。一般に、配線基板上に形成される回路には、基準電位を得るために接地線が形成される。この接地線は、通常、他の配線に比べて太く形成される。このような太い配線を配線基板の曲げ部に設けることは、曲げられた配線基板に曲げ癖を付ける上で非常に効果的である。
【００１６】
また、本発明に係る電気光学装置においては、前記配線基板として、表裏両面に配線を有する構造の、いわゆる積層構造の配線基板を用いることができる。そしてこの場合には、前記電気光学パネルの辺端と略平行に延びる前記線状部材は、前記配線基板の表面のうち曲げられて縮む側の面に形成されることが望ましい。こうすれば、曲げられた配線基板に十分な曲げ癖を付与できる。
【００１７】
また、本発明に係る電気光学装置において、前記配線基板の表面のうち曲げられて伸びる側の面には、該配線基板から前記電気光学パネルへ向けて延びる配線が形成されることが望ましい。ここで、配線基板から電気光学パネルへ向けて延びる配線とは、とりもなおさず、前記電気光学パネルの辺端と略平行に延びる前記線状部材に対して直角の位置関係を成す配線ということである。本実施態様のように、配線基板から電気光学パネルへ向けて延びる配線を、配線基板の表面のうち曲げられて伸びる側の面に設けるようにすれば、曲げられた配線基板に十分な曲げ癖を付与できる。
【００１８】
次に、本発明に係る第２の電気光学装置は、電気光学物質を含む電気光学パネルと、該電気光学パネルに接続されると共に該電気光学パネルの方向へ曲げられた可撓性を備えた配線基板とを有し、該配線基板は前記曲げられた部分に前記電気光学パネルの辺端と略平行に延び且つ略直線状に並ぶ複数の回路部品を有することを特徴とする。
【００１９】
上記構成において、複数の回路部品は、電気光学パネルを駆動するために必要となる部品であり、例えば、ＩＣ、抵抗、コイル、コンデンサ等である。従来、これらの回路部品は配線基板上の特定されない任意の場所に設けられていた。しかしながら、この場合には、配線基板を曲げた際に回路部品が厚み方向に関して電気光学パネルに重なってしまうことがあり、このことを補償するためには、配線基板と電気光学パネルの間に少なくとも回路部品の高さ以上の間隙を確保しておかなければならなかった。
【００２０】
これに対し、上記第２の電気光学装置によれば、配線基板のうちの曲げられた部分に複数の回路部品を電気光学パネルの辺端に対して略平行に且つ直線状に配置させたので、電気光学装置の厚み方向に関して回路部品が電気光学パネルに重なることがない。このため、配線基板と電気光学パネルとが重なり合う領域に必要以上の間隙を確保する必要がなくなり、それら配線基板と電気光学パネルとの隙間を狭くできる。その結果、電気光学装置の形状を薄く形成できる。
【００２１】
上記第２の電気光学装置において、前記複数の回路部品は、前記配線基板が曲げられた部分に形成される空間内に配置されることが望ましい。こうすれば、電気光学装置をより一層小型化できる。
【００２２】
また、上記第２の電気光学装置において、前記配線基板は、前記複数の回路部品と前記電気光学パネルとの間に、該電気光学パネルの辺端に対して略平行に延びる線状部材を有することが望ましい。この実施態様は、上記第１の電気光学装置と上記第２の電気光学装置とを組み合わせた構成を有する電気光学装置に相当する。この実施態様によれば、横方向の張出し寸法及び厚み方向の寸法の両面から電気光学装置を小型化できる。
【００２３】
また、上記第２の電気光学装置は構成要素として、さらに、前記電気光学パネルに対して略平行に配置された導光体と、該導光体と並べて配置された光源とを有することができる。そしてこの場合、前記配線基板は、曲げられてその先端が前記導光体の光出射面の反対面に接触する構造とすることができる。そしてさらに、前記複数の回路部品は、前記配線基板が曲げられた部分に形成される空間内であって前記光源に隣接する部分に配置されることが望ましい。こうすれば、電気光学装置をより一層小型化できる。
【００２４】
次に、本発明に係る電子機器は、以上に記載された構成の電気光学装置を有することを特徴とする。本発明に係る電気光学装置では、可撓性の配線基板の曲げ部の張出し量を小さくしたり、又は配線基板の曲げ部にできる空間内に複数の回路部品を配置することにより、その電気光学装置の全体的な形状を小型にした。この結果、この電気光学装置を用いた本発明に係る電子機器もその全体形状を小型にできる。
【発明を実施するための最良の形態】
【００２５】
（電気光学装置の実施形態）
本発明に係る第１の電気光学装置は、電気光学物質を含む電気光学パネルと、該電気光学パネルに接続されると共に該電気光学パネルの方向へ曲げられた可撓性を備えた配線基板とを有し、該配線基板は、前記曲げられた部分に、前記電気光学パネルの辺端に対して略平行に延びる配線を有することを特徴とするものである。
【００２６】
また、本発明に係る第２の電気光学装置は、電気光学物質を含む電気光学パネルと、該電気光学パネルに接続されると共に該電気光学パネルの方向へ曲げられた可撓性を備えた配線基板とを有し、該配線基板は、前記電気光学パネルの辺端と略平行に延び且つ略直線状に並ぶ複数の回路部品を前記曲げられた部分に有することを特徴とするものである。
【００２７】
以下、上記第１の電気光学装置及び上記第２の電気光学装置の両方を電気光学装置の一例である液晶表示装置を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素を分かり易く示すため、各要素を実際とは異なった相対的な寸法で示している。
【００２８】
図１は、本発明に係る電気光学装置である液晶表示装置の一実施形態を示している。また、図２は、図１の液晶表示装置に含まれる液晶パネル及び配線基板を展開状態で示している。また、図３は、図１に示す液晶表示装置の内部の主要な断面構造を拡大して示している。なお、図２に示された液晶パネルは、図１の液晶パネルを裏返した状態に相当する。
【００２９】
図１は、２端子型の非線形抵抗素子であるＴＦＤ（Thin Film Diode）素子を用いたアクティブマトリクス方式で半透過反射型の液晶表示装置１を示している。この液晶表示装置１は、図２において、液晶パネル２と、この液晶パネル２に実装された駆動用ＩＣ３と、同じく液晶パネル２に実装された可撓性の配線基板としてのＦＰＣ５と、液晶パネル２に対して略平行に配置された照明装置４とを有する。これら液晶パネル２、駆動用ＩＣ３、ＦＰＣ５及び照明装置４は、図１において、金属枠５０の中に収容される。
【００３０】
金属枠５０は、第１金属枠５０ａと第２金属枠５０ｂとを適宜の結合手法を用いて結合させることによって形成されている。このような結合手法としては、例えば、両金属枠５０ａ及び５０ｂの適所に予め嵌合構造を形成しておく方法や、ネジ等といった締結具を用いて結合する方法等を用いることができる。第２金属枠５０ｂには、液晶パネル２によって実現される表示を視認するための開口Ｖ０が設けられている。
【００３１】
図１において、照明装置４は、矢印Ａで示す観察側から見て液晶パネル２の背面側に配設されてバックライトとして機能する。この照明装置４は、透光性の樹脂によって形成された導光体７と、その導光体７の光導入口７ａに対向して配置された光源としてのＬＥＤ（Light Emitting Diode）６とを有する。観察側から見て導光体７の背面側には、必要に応じて、反射層８が設けられる。また、導光体７の観察側には、必要に応じて、拡散層９が設けられる。
【００３２】
ＬＥＤ６は、図２に示すように、可撓性の配線基板であるＬＥＤ基板５５に実装されている。ＬＥＤ基板５５は、例えば、ＦＰＣを用いてＬ字形状に形成され、そのＬ字の長辺部分にＬＥＤ６が実装される。本実施形態では、４個のＬＥＤ６が等間隔で設けられている。また、ＬＥＤ基板５５のＬＥＤ６を設けた面の裏面には、例えば、アクリルやウレタンといった樹脂から成る緩衝部材５６が設けられる。この緩衝部材５６は、図１において、ＬＥＤ基板５５が他の構成部品に接触しないようにすると共に、ＬＥＤ６が導光体７の光導入口７ａに対して所定の位置に位置できるように、当該ＬＥＤ６を押える働きを有する。ＬＥＤ６から発生した光は、光導入口７ａを通して導光体７の内部へ導入され、導光体７の内部を進行した後、光出射口７ｂから平面的な光として出射する。なお、光源は、ＬＥＤ６以外の点状光源や、冷陰極管等といた線状光源によって構成することもできる。
【００３３】
液晶パネル２は、図２に示すように、素子基板１２と、それに対向するカラーフィルタ基板１１と、それらの基板を貼り合わせている正方形又は長方形の枠状のシール材１３とを有する。図３において、カラーフィルタ基板１１と素子基板１２とによって挟まれた間隙、いわゆるセルギャップＧ内に電気光学物質としての液晶１４が封入されて液晶層を構成している。
【００３４】
図１において、カラーフィルタ基板１１は、矢印Ａ方向から見て長方形又は正方形の第１の透光性の基板１６ａを有する。この第１透光性基板１６ａは、例えば、透光性のガラス、透光性のプラスチック等によって形成される。また、この第１透光性基板１６ａの外側表面には、位相差板２６ａ及び偏光板２７ａが、それぞれ、貼着等によって装着される。
【００３５】
図３において、第１透光性基板１６ａの内側表面には、樹脂層１７が形成され、その上に反射層１８が形成され、その上に複数の着色要素１９及びそれらを取り囲む遮光部材２１が形成され、その上にオーバーコート層２２が形成され、その上に紙面垂直方向へ直線的に延びる複数の帯状電極２３ａが形成され、さらにその上に配向膜２４ａが形成される。配向膜２４ａには配向処理、例えばラビング処理が施され、これにより、カラーフィルタ基板１１の近傍の液晶分子の配向が決められる。
【００３６】
樹脂層１７の表面には凹凸形状が形成されている。このため、その樹脂層１７上に積層された反射層１８は同じ凹凸形状を有する。この凹凸形状により、反射層１８で反射する光は拡散する。この反射層１８は、例えば、Ａｌ（アルミニウム）、Ａｌ合金等によって形成される。なお、樹脂層１７の表面に形成する凹凸形状を滑らかにしたい場合には、樹脂層１７を第１層及び第２層の２層構造によって形成し、第１層の表面に粗い凹凸形状を形成し、そしてその上に第２層を積層して凹凸形状を滑らかにするという方法を用いることもできる。
【００３７】
着色要素１９は、例えば、１つ１つが矢印Ａ方向から見て長方形のドット状に形成され、１つの着色要素１９は、Ｒ（赤）、Ｇ（緑）、Ｂ（青）の３原色のいずれか１つの光を通す材料によって形成されている。これら各色の着色要素１９は、矢印Ａ方向から見てストライプ配列、デルタ配列、モザイク配列、その他適宜の配列となるように並べられている。なお、着色要素１９は、Ｃ(シアン）、Ｍ（マゼンタ）、Ｙ(イエロー）の３原色によって形成することもできる。
【００３８】
遮光部材２１は、例えばＣｒ(クロム）等といった遮光性の材料によって、複数の着色要素１９の間を埋める状態に形成される。この遮光部材２１は、ブラックマトリクスとして機能して着色要素１９を透過した光によって表示される像のコントラストを向上させる。なお、遮光部材２１は、Ｃｒ等といった特定の材料によって形成されることに限られず、着色要素１９を構成するＲ，Ｇ，Ｂの各着色要素を重ねること、すなわち積層することによっても形成できる。
【００３９】
オーバーコート層２２は、例えば、アクリル樹脂、ポリイミド樹脂等といった感光性の樹脂によって形成される。また、複数の帯状電極２３ａは、例えばＩＴＯ（Indium Tin Oxide）等といった金属酸化物によって形成される。また、その上に形成された配向膜２４ａは、例えばポリイミド等によって形成される。
【００４０】
図１において、カラーフィルタ基板１１に対向する素子基板１２は、第２の透光性の基板１６ｂを有する。この第２透光性基板１６ｂは、例えば、透光性のガラス、透光性のプラスチック等によって形成される。第２透光性基板１６ｂの外側表面には、位相差板２６ｂ及び偏光板２７ｂが、それぞれ、貼着等によって装着される。
【００４１】
図３に戻って、第２透光性基板１６ｂの内側表面には、ライン配線３３が形成され、スイッチング素子として機能する２端子型の非線形抵抗素子である複数のＴＦＤ素子３１がそのライン配線３３に接続して形成される。そしてさらに、それらのＴＦＤ素子３１に接続するように複数のドット電極２３ｂが形成される。ライン配線３３は、カラーフィルタ基板１１上に帯状電極２３ａに対して直角方向、すなわち図３の左右方向に延びている。
【００４２】
各ドット電極２３ｂの間には複数のフォトスペーサ１５が形成され、それらの上に配向膜２４ｂが形成される。これらのフォトスペーサ１５は、例えば、感光性樹脂をフォトリソグラフィ処理によってパターニングすることによって形成される。フォトスペーサ１５は、立った状態の円柱形状に形成されており、セルギャップＧが均一な寸法を維持するように機能する。配向膜２４ｂには配向処理、例えばラビング処理が施され、これにより、素子基板１２の近傍の液晶分子の配向が決められる。ドット電極２３ｂはＩＴＯ等といった金属酸化物によって形成される。また、配向膜２４ｂは、例えばポリイミド等によって形成される。
【００４３】
素子基板１２に設けられる複数の直線状のライン配線３３は、それらの個々が図の左右方向に延び、全体としてストライプ状に設けられている。また、複数のＴＦＤ素子３１は個々のライン配線３３に適宜の間隔をおいて接続され、それらのＴＦＤ素子３１にドット電極２３ｂが接続されている。個々のＴＦＤ素子３１は、カラーフィルタ基板１１側の遮光部材２１に対応する位置に設けられる。
【００４４】
また、素子基板１２に対向するカラーフィルタ基板１１に設けられる複数の帯状電極２３ａは、それらの個々が図の紙面垂直方向に延び、全体としてストライプ状に形成されている。これらの帯状電極２３ａは、カラーフィルタ基板１１と素子基板１２とをシール材１３（図２参照）によって貼り合わせたとき、ライン配線３３と直角の方向に延びる。個々の帯状電極２３ａは、列状に並ぶ複数のドット電極２３ｂに平面的に重なり合う。このように帯状電極２３ａとドット電極２３ｂとが重なり合う領域が、表示の最小単位である表示ドット領域Ｄを構成する。これら複数の表示ドット領域Ｄは縦方向及び横方向に複数個、マトリクス状に並べられ、これら複数の表示ドット領域Ｄによって形成される領域、すなわち有効表示領域に文字、数字、図形等といった像が表示される。
【００４５】
本実施形態のように、Ｒ，Ｇ，Ｂの３色に対応する３つの着色要素１９に対応する３つの表示ドット領域Ｄによって１つの画素が形成される。他方、白黒又は任意の１色でモノカラー表示を行う場合は、１つの表示ドット領域Ｄによって１つの画素が形成される。
【００４６】
反射層１８には個々の表示ドット領域Ｄに対応して開口４６が設けられる。これらの開口４６は、矢印Ａ方向から見て長方形状に形成されている。個々の表示ドット領域Ｄの中で反射層１８が設けられた部分Ｒが反射部であり、開口４６が形成された部分Ｔが透過部である。観察側から入射した外部光、すなわち素子基板１２側から入射した外部光Ｌｏは、反射部Ｒで反射する。一方、図１の照明装置４の導光体７から出射した光Ｌｓは、図３の透過部Ｔを透過する。
【００４７】
図１において、素子基板１２を構成する第２透光性基板１６ｂは、対向基板であるカラーフィルタ基板１１を構成する第１透光性基板１６ａの外側へ張り出す張出し部２９を有する。図２に示すように、この張出し部２９のカラーフィルタ基板１１側の表面上には、３個の駆動用ＩＣ３が、例えばＡＣＦ（Anisotropic Conductive Film：異方性導電膜）５７を用いたＣＯＧ（Chip On Glass）技術によって実装される。これらの駆動用ＩＣ３は、走査信号を出力する駆動用ＩＣ３ａと、データ信号を出力する駆動用ＩＣ３ｂとによって構成されている。これらの駆動用ＩＣ３は、１個の駆動用ＩＣによって走査信号とデータ信号とを出力する構成にしても良い。
【００４８】
張出し部２９の端部には、外部接続用端子５８が形成される。この外部接続用端子５８は駆動用ＩＣ３の入力用端子、例えば入力用バンプにつながる。また、この外部接続用端子５８には、可撓性配線基板であるＦＰＣ５が、例えばＡＣＦ５７によって接続される。ＦＰＣ５と外部接続用端子５８との接続には、ハンダ付け、ヒートシール等といった導電接続手法を用いることもできる。
【００４９】
ＦＰＣ５は、例えば、ポリイミドやポリエステル等から成るフィルムを基材として形成される曲げ性に優れた基板である。このＦＰＣ５は、図２の矢印Ｃのように曲げられて液晶パネル２に対面する表面Ｓ１とその反対面である表面Ｓ２とを有する。また、ＦＰＣ５は、回路形成部５ａと、入力用端子５ｂと、曲げ部５ｃと、出力用端子５ｄと、ＬＥＤ基板接続用端子５ｅとを有する。回路形成部５ａは電子回路を形成するための部分である。曲げ部５ｃはＦＰＣ５を矢印Ｃのように曲げたときに曲がる部分である。ＬＥＤ基板接続用端子５ｅには、例えばハンダ付けによってＬＥＤ基板５５が接続される。また、入力用端子５ｂには、携帯電話機、携帯情報端末機等といった電子機器内に設けられる制御回路、電源等が接続される。
【００５０】
本実施形態ではＦＰＣ５として２層の配線構造を有するＦＰＣを用いるものとする。従って、回路形成部５ａは表面Ｓ１と表面Ｓ２との間にわたって形成され、必要に応じてスルーホールによってそれら各面間で導通がとられる。表面Ｓ１側の回路形成部５ａの上には、液晶パネル２を駆動するために必要となる複数の回路部品５１が実装され、また、これらの回路部品５１を駆動するための電力を供給する電源用ＩＣ５３が実装され、さらに、各回路部品５１を接続して回路を構成する複数の配線がパターニングによって形成される。複数の回路部品５１は、回路形成部５ａの曲げ部５ｃに近い所であって、素子基板１２の辺端、すなわち液晶パネル２の辺端と略平行に直線状に並べて配置される。
【００５１】
電源用ＩＣ５３は、直線状に配置した複数の回路部品５１と同じ直線上であって、回路形成部５ａの角部にＡＣＦ５７を用いて実装される。電源用ＩＣ５３が実装される部分の回路形成部５ａと曲げ部５ｃとの間には図２（ａ）に示すように切欠きＢが形成される。この切欠きＢを設けたことにより、ＦＰＣ５を曲げ部５ｃの所で曲げたとき、電源用ＩＣ５３を実装した部分の回路形成部５ａは曲げ部５ｃの曲がり状態に影響されることなく平面形状を維持する。このため、電源用ＩＣ５３がＦＰＣ５から剥がれるという不都合は生じない。また、曲げ部５ｃは電源用ＩＣ５３の影響を受けることなく曲がることができる。
【００５２】
曲げ部５ｃの表面Ｓ１は曲げられたときに縮む側の表面である。一方、曲げ部５ｃの反対側の表面Ｓ２は曲げられたときに伸びる側の表面である。曲げ部５ｃの縮み側表面Ｓ１には、液晶パネル２の辺端に対して略平行に線状部材としての配線５２が形成される。この配線５２は、直線状のパターンに形成される。また、配線５２は、回路形成部５ａ上に形成された電子回路のＧＮＤ線、すなわち接地線として機能する。一般に、接地線は他の配線に比べて太い線幅を有する。この直線状配線５２は、曲げ部５ｃ上であって、回路形成部５ａと曲げ部５ｃとの境界線と液晶パネル２の辺端との間の略中央の位置に形成される。
【００５３】
曲げ部５ｃの伸び側表面Ｓ２には、回路形成部５ａから液晶パネル２へ向けて延びる複数の配線５４が設けられる。これらの配線５４は、縮み側表面Ｓ１に形成された接地用配線５２に対して直角方向へ延びている。また、これらの配線５４は、回路形成部５ａ上の電子回路の出力信号を出力用端子５ｄへ伝送するための配線である。出力用端子５ｄへ伝送された信号は、液晶パネル２の外部接続用５８を通して駆動用ＩＣ３へ伝送される。
【００５４】
図２の液晶パネル２、駆動用ＩＣ３、ＦＰＣ５、ＬＥＤ基板５５、そして導光体４を用いて図１に示す液晶表示装置１を組み立てるに際しては、まず、駆動用ＩＣ３を液晶パネル２の張出し部２９に実装し、図１の位相差板２６ａ，２６ｂ及び偏光板２７ａ，２７ｂを液晶パネル２に装着する。次に、ＦＰＣ５を液晶パネル２の張出し部２９の外部接続用端子５８を設けた部分に接続し、さらにＦＰＣ５のＬＥＤ基板接続用端子５ｅの部分にＬＥＤ基板５５を接続する。
【００５５】
次に、液晶パネル２のカラーフィルタ基板１１側に導光体７を置き、ＦＰＣ５を矢印Ｃのように図２の上方、従って図１の下方へ、ＦＰＣ５の先端が導光体７に接触するまで曲げる。このとき、ＦＰＣ５はその曲げ部５ｃの所で曲がる。そして、図１において、第１金属枠５０ａを導光体７の側から液晶パネル２に組み付け、さらに第２金属枠５０ｂを液晶パネル２の素子基板１２側から液晶パネル２に組み付け、さらに両金属枠５０ａ及び５０ｂを適宜の接続手法を用いて結合させて、１つの金属枠５０を形成する。こうして、液晶パネル２、照明装置４、ＦＰＣ５が所定の位置関係で金属枠５０の中に収容されて、液晶表示装置１が作製される。
【００５６】
第１金属枠５０ａと第２金属枠５０ｂとを結合させたとき、液晶パネル２の全体はそれらの金属枠５０ａ及び５０ｂに所定の圧力で挟持されて位置ズレしないように保持される。また、ＬＥＤ６は、緩衝材５６及び液晶パネル２の張出し部２９を間に挟んで第１金属枠５０ａと第２金属枠５０ｂとによって所定の圧力で挟持されて位置ズレしないように保持される。これにより、ＬＥＤ６は導光体７の光導入口７ａに対して所定の位置に正確に置かれる。また、図２においてＦＰＣ５の回路形成部５ａの曲げ部５ｃに近い所に実装された複数の回路部品５１は、ＦＰＣ５を曲げることによって形成された空間であって、ＬＥＤ６を挟んで液晶パネル２の反対側の位置に収納される。
【００５７】
以上のようにして作製された液晶表示装置１は反射型表示及び透過型表示を選択的に実行できるものであり、反射型表示が行われる場合には、図３において、太陽光、室内光等といった外部光Ｌｏが反射部Ｒで反射して液晶層１４へ供給される。一方、透過型表示が行われる場合には、図１の照明装置４が点灯し、導光体７から出射する平面状の光が、図３の透過部Ｔを通して液晶層１４へ供給される。
【００５８】
こうして液晶層１４へ光が供給される間、液晶層１４を挟持する帯状電極２３ａ及びドット電極２３ｂの一方に走査信号が印加され、その他方にデータ信号が印加され、これにより液晶層１４にかかる電界が表示ドット領域Ｄごとに制御される。そして、この電圧制御により、液晶層１４を通過する光が表示ドット領域Ｄごとに変調され、この変調された光が偏光板２７ｂの内側に与えられることにより、その偏光板２７ｂの外側、すなわち観察側に文字、数字、図形等といった像が表示される。こうして得られた表示は、図１において、第２金属枠５０ｂの開口Ｖ０を通して矢印Ａ方向から観察者によって視認される。
【００５９】
ところで、液晶表示装置１を小型化するためには、図１において、曲げ部５ｃが液晶パネル２の外側に張り出す長さＸを短くすることが望ましい。しかしながら、何等の措置も講じられていない普通のＦＰＣをＦＰＣ５として用いるものとすると、張出し長さＸが短い場合には、ＦＰＣ５が有する弾性に起因してＦＰＣ５と液晶パネル２との接続部においてＦＰＣ５が液晶パネル２から剥がれるおそれがある。また、ＦＰＣ５の曲げられた部分の近傍に実装された回路部品がＦＰＣ５から剥がれるおそれがある。これらのため、普通のＦＰＣを用いてＦＰＣ５を形成した場合には、張出し長さＸを小さくできず、それ故、液晶表示装置１の幅方向の長さが長くならざるを得なかった。
【００６０】
このことに関し、本実施形態では、図２に示すように、液晶パネル２の辺端に対して略平行な配線５２をＦＰＣ５の曲げ部５ｃ上に形成した。このため、ＦＰＣ５を曲げたときに曲げ部５ｃに曲げ癖が付与されるようになった。この曲げ癖のため、ＦＰＣ５を曲げたときの曲げ部５ｃの張出し長さＸを小さくしても、曲げ部５ｃの曲がり初め部分においてＦＰＣ５が液晶パネル２から剥がれ難くなった。また、同じ理由により、曲げ部５ｃの曲がり初め部分の近傍に実装された回路部品がＦＰＣ５から剥がれ難くなった。これらのため、本実施形態では、ＦＰＣ５の曲げ部５ｃの張出し長さＸを小さくできるようになり、それ故、液晶表示装置１の横方向の長さを小さくできるようになった。
【００６１】
特に、本実施形態では、配線５２が直線状パターンを有するものであって、湾曲形状や段々形状ではないので、ＦＰＣ５には効果的な曲げ癖が付与される。また、本実施形態では、配線５２を曲げ部５ｃの頂部に位置するように形成した。このため、曲げ部５ｃの形状がＦＰＣ５と液晶パネル２との接続部分側へ片寄ったり、それと反対側へ片寄ったりすることがなく、曲げ部５ｃの全体を一様な形状にできるので、曲げ部５ｃの液晶パネル２から張出し長さＸをより一層短くできる。
【００６２】
また、本実施形態では、曲げ部５ｃに設ける配線５２を電子回路の接地線とした。一般に、接地線は他の配線よりも太い配線である。この太い配線は曲げ部５ｃを曲げたときにその曲げ部５ｃに、ＦＰＣ５が液晶パネル２から剥がれること及び回路部品がＦＰＣ５から剥がれることを防止する上で望ましい強い曲げ癖を付けることができる。
【００６３】
また、本実施形態では、ＦＰＣ５として２層構造の配線基板を用いた。そして、液晶パネル２の辺端と略平行に延びる配線５２は、ＦＰＣ５の表面のうち曲げられて縮む側の面Ｓ１に形成した。この配線構造は、ＦＰＣ５が曲げ部５ｃの曲がり初め部分において液晶パネル２から剥がれることを防止する上で、さらには、回路部品５１がＦＰＣ５の曲げ部５ｃの曲がり初め部分においてＦＰＣ５から剥がれることを防止する上で、非常に好ましい配線構造である。
【００６４】
また、本実施形態では、図２において、ＦＰＣ５から液晶パネル２へ向けて延びる配線５４がＦＰＣ５の表面のうち曲げられて伸びる側の面Ｓ２に設けられている。こうすれば、配線５４を曲げ部５ｃの縮み側表面Ｓ１に設ける場合に比べて、ＦＰＣ５の曲げ部５ｃに十分な曲げ癖を付与できる。
【００６５】
また、本実施形態では、液晶パネル２の辺端と略平行に延び且つ略直線状に並ぶ複数の回路部品５１をＦＰＣ５の曲げ部５ｃの所に実装した。このため、液晶表示装置１の厚み方向に関して回路部品５１が液晶パネル２に重なることがなくなり、ＦＰＣ５と液晶パネル２とが重なり合う領域に必要以上の間隙を確保する必要がなくなり、ＦＰＣ５と液晶パネル２との隙間を狭くできるようになった。その結果、液晶表示装置１の厚み方向の形状を薄く形成できるようになった。
【００６６】
また、本実施形態では、図１に示すように、ＦＰＣ５が曲げられた部分に形成される空間内に複数の回路部品５１を収納するようにした。これにより、液晶表示装置１の厚み方向の寸法をより一層小型化できるようになった。
【００６７】
(変形例）
本発明に係る第１の電気光学装置は、電気光学物質を含む電気光学パネルと、該電気光学パネルに接続されると共に該電気光学パネルの方向へ曲げられた可撓性を備えた配線基板とを有し、該配線基板は、前記曲げられた部分に、前記電気光学パネルの辺端に対して略平行に延びる配線を有することを特徴とするものである。
【００６８】
この発明に基づけば、上記実施形態において、図２に示すようにＦＰＣ５の曲げ部５ｃの所に配線５２を設けることは必須の構成要件であるが、図１に示すように回路部品５１をＦＰＣ５の曲げ部５ｃの所に実装することは、必ずしも実施しなくても良い。
【００６９】
また、本発明に係る第２の電気光学装置は、電気光学物質を含む電気光学パネルと、該電気光学パネルに接続されると共に該電気光学パネルの方向へ曲げられた可撓性を備えた配線基板とを有し、該配線基板は、前記電気光学パネルの辺端と略平行に延び且つ略直線状に並ぶ複数の回路部品を前記曲げられた部分に有することを特徴とするものである。
【００７０】
この発明に基づけば、上記実施形態いおいて、図１に示すように回路部品５１をＦＰＣ５の曲げ部５ｃの所に実装することは必須の構成要件であるが、図２に示すようにＦＰＣ５の曲げ部５ｃの所に配線５２を設けることは、必ずしも実施しなくても良い。
【００７１】
（その他の実施形態）
以上、好ましい実施形態を挙げて本発明を説明したが、本発明はその実施形態に限定されるものでなく、請求の範囲に記載した発明の範囲内で種々に改変できる。
【００７２】
例えば、以上に説明したそれぞれの実施形態では、半透過反射型の液晶表示装置に本発明を適用したが、本発明は、反射型表示だけを行う液晶表示装置および透過型表示だけを行う液晶表示装置のいずれにも適用できる。
【００７３】
また、上記それぞれの実施形態では、ＴＦＤ素子を用いた液晶表示装置に本発明を適用したが、本発明は、ＴＦＤ素子以外の２端子型スイッチング素子を用いたアクティブマトリクス方式の液晶表示装置にも適用できる。また、本発明は、ＴＦＴ（Thin Film Transistor）等といった３端子型スイッチング素子を用いたアクティブマトリクス方式の液晶表示装置にも適用できる。また、本発明は、スイッチング素子を用いない単純マトリクス方式の液晶表示装置にも適用できる。
【００７４】
また、本発明は、液晶表示装置以外の電気光学装置、例えば、有機ＥＬ（Electro Luminescence）装置、無機ＥＬ装置、プラズマディスプレイ装置（ＰＤＰ：Plasma Display）、電気泳動ディスプレイ（ＥＰＤ：Electrophoretic Display）、フィールドエミッションディスプレイ装置（ＦＥＤ：Field Emission Display：電界放出表示装置）ＬＥＤ表示装置、ＤＭＤ（Digital Micromirror Device）にも適用できる。
【００７５】
（電子機器の実施形態）
次に、本発明に係る電子機器の実施形態を図面を用いて説明する。図４は、本発明に係る電子機器の一実施形態のブロック図を示している。ここに示す電子機器は、液晶表示装置１と、これを制御する制御回路７０とを有する。液晶表示装置１は、液晶パネル７１と、半導体ＩＣ等で構成される駆動回路７２とを有する。また、制御回路７０は、表示情報出力源７３と、表示情報処理回路７４と、電源回路７６と、タイミングジェネレータ７７とを有する。
【００７６】
表示情報出力源７３は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。この表示情報出力源７３は、タイミングジェネレータ７７によって生成された各種のクロック信号に基づいて、所定フォーマットの画像信号等の形で表示情報を表示情報処理回路７４に供給する。
【００７７】
表示情報処理回路７４は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路７２へ供給する。駆動回路７２は、走査線駆動回路、データ線駆動回路及び検査回路を含む。また、電源回路７６は、上記の各構成要素にそれぞれ所定の電圧を供給する。
【００７８】
液晶表示装置１は、例えば、図１に示した液晶表示装置１によって構成できる。この液晶表示装置１では、ＦＰＣ５の曲げ部５ｃに直線パターン状の配線５２を形成しているので、ＦＰＣ５の曲げ部５ｃの張出し寸法を小さく形成できる。また、液晶表示装置１は、曲げ部５ｃに回路部品５１を直線状に設けているので装置を薄く形成できる。故に、これを用いた本電子機器も小型化できる。
【００７９】
図５は、本発明を電子機器の一例である携帯電話機に適用した場合の一実施形態を示している。ここに示す携帯電話機８０は、本体部８１と、これに開閉可能に設けられた表示体部８２とを有する。液晶表示装置等といった電気光学装置によって構成された表示装置８３は、表示体部８２の内部に配置され、電話通信に関する各種表示は、表示体部８２にて表示画面８４によって視認できる。本体部８１には操作ボタン８６が配列されている。
【００８０】
表示体部８２の一端部にはアンテナ８７が伸縮自在に取付けられている。表示体部８２の上部に設けられた受話部８８の内部には、図示しないスピーカが配置される。また、本体部８１の下端部に設けられた送話部８９の内部には図示しないマイクが内蔵されている。表示装置８３の動作を制御するための制御部は、携帯電話機の全体の制御を司る制御部の一部として、又はその制御部とは別に、本体部８１又は表示体部８２の内部に格納される。
【００８１】
表示装置８３は、例えば、図１に示した液晶表示装置１によって構成できる。この液晶表示装置１では、ＦＰＣ５の曲げ部５ｃに直線パターン状の配線５２を形成しているので、ＦＰＣ５の曲げ部５ｃの張出し寸法を小さく形成できる。また、液晶表示装置１は、曲げ部５ｃに回路部品５１を直線状に設けているので装置を薄く形成できる。故に、これを用いた図５の携帯電話機８０も小型化できる。
【００８２】
（変形例）
本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、その他各種の機器が考えられる。
【図面の簡単な説明】
【００８３】
【図１】本発明に係る電気光学装置の一実施形態を示す液晶表示装置の断面図である。
【図２】図１の液晶表示装置を展開状態で示す斜視図である。
【図３】図１の要部を拡大して示す断面図である。
【図４】本発明に係る電子機器の一実施形態を示すブロック図である。
【図５】本発明に係る電子機器の他の実施形態を示す斜視図である。
【符号の説明】
【００８４】
１．液晶表示装置（電気光学装置）、  ２．液晶パネル（電気光学パネル）、  
３．駆動用ＩＣ、  ４．照明装置、  ５．ＦＰＣ（配線基板）、  ５ａ．回路形成部、  ５ｂ．入力用端子、  ５ｃ．曲げ部、  ５ｄ．出力用端子、  
５ｅ．ＬＥＤ基板接続用端子、  ６．ＬＥＤ、  ７．導光体、  
７ａ．導光体の光入射面、  ８．反射層、  ９．拡散層、  １１．カラーフィルタ基板、  １２．素子基板、  １４．液晶、  １５．フォトスペーサ、  
１６ａ，１６ｂ．透光性基板  、１７．樹脂層、  １８．反射層、  １９．着色要素、  ２１．遮光部材、  ２２．オーバーコート層、  ２３ａ．帯状電極、  
２３ｂ．ドット電極、  ２４ａ，２４ｂ．配向膜、  ２６ａ，２６ｂ．位相差板、  
２７ａ，２７ｂ．偏光板、  ２９．張出し部、  ３１．ＴＦＤ素子、  
３３．ライン配線、  ４６．開口、  ５１．回路部品、  
５２．接地線（線状部材）、  ５３．電源用ＩＣ、  ５５．ＬＥＤ基板、  
５６．緩衝部材、  ５７．ＡＣＦ、  ５８．外部接続用端子、  
８０．携帯電話機（電子機器）、  ８３．液晶表示装置、  Ｄ．表示ドット領域、  
Ｌｏ．外部光、  Ｌｓ．透過光、  Ｒ．反射部、  Ｔ．透過部、  Ｓ１．表側面、  
Ｓ２．裏側面、  Ｘ．曲げ部の張り出し長さ
【図１】
2006030829.tif 000003
【図２】
2006030829.tif 000004
【図３】
2006030829.tif 000005
【図４】
2006030829.tif 000006
【図５】
2006030829.tif 000007